(57)【要約】【課題】腰痛の発症を予防すると共に、腰痛の症状を軽減し、その腰痛の治療日数を短縮できるベルト状コルセットを提供すること。【解決手段】腰部に巻き付けるベルト体１２と、ベルト体１２を骨盤と腰椎を含む腰部に巻き付けたときベルト体１２の骨盤後部に当接部位に取り付けられたウエイト１１と、を有するウエイト付きベルト状コルセット。【選択図】図３
0003222229.tif 000002
【実用新案登録請求の範囲】
【請求項１】
腰部に巻き付けるベルト体と、
前記ベルト体を骨盤と腰椎を含む腰部に巻き付けたとき前記ベルト体の骨盤後部に当接する部位に取り付けられたウエイトと、
を有するウエイト付きベルト状コルセット。
【考案の詳細な説明】
【技術分野】
【０００１】
この考案は、腰痛を治療するウエイト付きコルセットに関する。
【背景技術】
【０００２】
腰痛に関連する骨格は、骨盤と腰椎である。腰椎は骨盤を構成する仙骨から上方に延びている。腰を前方に曲げる際は、骨盤を前方に傾斜させ、腰椎を前方に曲げる。骨盤を構成する尾骨と仙骨、仙骨から上方に延びる腰椎、腰椎から上方に延びる胸椎、胸椎から上方に延びる頸椎からなる脊柱は、Ｓ字状をしている。通常、腰を伸ばした状態では腰椎は前湾している（図１参照）。
【０００３】
これまでも、腰痛の治療のためのベルト状コルセットは開発されている（例えば、特許文献１参照。）。
【先行技術文献】
【特許文献】
【０００４】
【特許文献１】特開２００３−６１９９３号公報
【考案の概要】
【考案が解決しようとする課題】
【０００５】
上記従来の伸縮ベルト体からなるベルト状コルセットは、当該コルセットの長手方向中央部を腰部に当てがい、伸長時に発生する収縮力（復元収縮力）に抗した状態で身体に巻き付け、身体の前面部（腹部）で、前記伸縮ベルト体の左右両片の端部同士を面ファスナーなどの着脱自在手段で互いに取着していた。これにより、腹圧を上昇させ、腰椎に対する支持性を増し、腹筋・背筋の緊張を緩め腰痛の軽減や治癒を図っていた。
【０００６】
しかも、コルセットは、整形外科などの医院においては、健康保険が適用されることもあり、患者にとっても好都合であり、より一層治療効果の高いコルセットの開発が望まれていた。
【０００７】
そこで、本考案者（整形外科医師）は、既存のベルト状コルセットの構成を変えることで症状を軽減できないか鋭意検討を重ねた結果、骨盤の後部に下向きの力を加えることにより治療効果が上がることを見出し、本考案に至った。
【課題を解決するための手段】
【０００８】
上記の課題を解決するためになされた本考案のウエイト付きベルト状コルセットは、腰部に巻き付けるベルト体と、前記ベルト体を骨盤と腰椎を含む腰部に巻き付けたとき骨盤後部に当接する前記ベルト体の部位に取り付けられたウエイトと、を有している。
【考案の効果】
【０００９】
本考案のウエイト付きベルト状コルセットによれば、腰痛の発症を予防すると共に、ぎっくり腰等の腰痛の症状を軽減し、その治療日数を短縮することが可能となる。
【００１０】
本考案のベルト状コルセットによる治療効果の理由は明らかでないが、次のように推察される。骨盤と腰椎の配列は、正常では、図１に示すように、腰椎が腹部方向（前方）に弓なりに突き出ている状態（前弯）であるが、骨盤がより前方に傾く（前傾する）と腰椎の前弯は増加し腰痛の原因になる。その前弯が本考案のウエイト付きベルト状コルセットを使用すれば、ウエイトにより骨盤を後傾回転させる（図２の矢印Ａ方向）の荷重が懸り、骨盤の上面部が略水平に戻る。骨盤の上面部が略水平に戻ると、背筋の収縮が緩和され、腰痛が緩和されるものと察する。
【００１１】
もう一つの腰痛の原因として、無理な姿勢、重量物の持ち上げ、疲労等によっても、背筋の一部が異常に緊張し腰痛をきたすと考えられる。その時に、ウエイトを加えることによって、背筋に加わる力の方向を変え、異常緊張した背筋の緊張をゆるめるとも考えられる。
【００１２】
上記のベルト状コルセットにおいて、前記ベルト体の長手方向中央部を骨盤と腰椎を含む腰部に当てがった状態で、前記ベルト体を身体に巻き、当該身体の前面部で、前記ベルト体の両端部同士を取着する着脱自在手段を有するものとするとよい。これにより、ベルト体の身体への着脱が容易になる。
【００１３】
また、前記ベルト体は伸縮性ベルト体であるものとするとよい。これにより、ベルト体の身体への巻き付け力を高めることができ、腰を確実に固定することができる。
【００１４】
また、前記ウエイトは、装着者の体格と症状に合わせて数百グラムから数キログラムに調整することができる。
【図面の簡単な説明】
【００１５】
【図１】正常な腰部の骨盤と腰椎の側方模式図である。
【図２】腰痛症に罹患した骨盤と腰椎の側方模式図である。
【図３】本考案の実施形態に係るウエイト付きベルト状コルセットの前面図である。
【図４】本考案の実施形態に係るウエイト付きベルト状コルセットの装着方法を示す説明図である。
【考案を実施するための形態】
【００１６】
（実施形態）本考案の実施形態に係るウエイト付きベルト状コルセット１０は、図３に示すように、左右方向に伸縮性を有するベルト体１２の前面における長手方向中央部に砂嚢状ウエイト１１を収納できる網袋状の入れ物１２１が取り付けられており、網袋状入れ物１２１の中に砂嚢状ウエイト１１が収納されている。砂嚢状ウエイト１１の重さは、砂嚢の重量を変えることにより装着者に最適な重量に調整され得る。
【００１７】
本実施形態のウエイト付きベルト状コルセット１０の場合、砂嚢状ウエイト１１がベルト体１２の長手方向中央部に取り付けられているので、本実施形態のウエイト付きベルト状コルセット１０を腰部に装着すると、砂嚢状ウエイト１１が骨盤後部に当接することになる。
【００１８】
なお、砂嚢状ウエイト１１を収納できる網袋状の入れ物１２１は、ベルト体１２の長手方向中央部に限定されず、腰部に巻き付けて装着したとき腰部の側方部又は前方部に位置するようにしてもよい。
【００１９】
ベルト体１２の左片１２Ｌ（長手方向中央部から左側の自由片）の後面には、面ファスナー１２２が設けられ、ベルト体１２の右片１２Ｒ（長手方向中央部から右側の自由片）の前面には、面ファスナー１２３が設けられている。なお、上記した面ファスナー１２２、１２３、に代えて、金属製又は樹脂製のフック（或いは、ベルトのバックル）、またはひも状のような係止手段でも構わない。
【００２０】
上記構成のウエイト付きベルト状コルセット１０の使用方法を以下に説明する。図４に示すように、ウエイト付きベルト状コルセット１０の前面における長手方向中央部を骨盤と腰椎を含む腰部に当てがった状態で、当該ベルト体１２を伸張させた時に発生する収縮力に抗してベルト体１２の左右両片１２Ｌ、１２Ｒを手で持って身体に巻き付け、身体の前面部（腹部上）で、ベルト体１２の左右両片１２Ｌ、１２Ｒの端部の面ファスナー１２２と面ファスナー１２３を結着する。したがって、本実施形態のウエイト付きベルト状コルセット１０では、面ファスナー１２２、１２３が着脱自在手段になる。
【００２１】
このウエイト付きベルト状コルセット１０を腰痛患者数名に使用したところ、直ちに痛みの軽減が得られた。
【００２２】
本実施形態のウエイト付きベルト状コルセット１０によれば、腰痛の発症を予防すると共に、ぎっくり腰等の腰痛の症状を軽減し、その治療日数を短縮することができる。
【００２３】
以上、本考案の実施形態の例を図面に基づき説明したが、本考案に係るウエイト付きベルト状コルセットは、図示例の構成に限定されるものではなく、請求項記載の技術思想の範疇において種々の変更が可能であることは言うまでもない。
【符号の説明】
【００２４】
１０・・・・・・・ウエイト付きベルト状コルセット
１１・・・・・・・ウエイト
１２・・・・・・・ベルト体
【図１】
0003222229.tif 000003
【図２】
0003222229.tif 000004
【図３】
0003222229.tif 000005
【図４】
0003222229.tif 000006